(57)【特許請求の範囲】
【請求項１】
コイル部とキャパシタ部が分離独立して構成され両者は配線で結合されてなる共振周波数が７．２〜８．８ＭＨｚの共振タグであって、ブリスター包装の外包装体に、コイル部がブリスター包装の金属箔、金属箔積層材又は金属蒸着シート若しくはフィルムとほぼ直角に、キャパシタ部がほぼ平行になるように折り曲げて装着して使用するための共振タグ。
【請求項２】
共振周波数が７．４〜８．４ＭＨｚの請求項１の共振タグ。
【請求項３】
ブリスター包装を外包装した包装体であって、コイル部とキャパシタ部が分離独立して構成され両者が配線で結合されてなる共振周波数が７．２〜８．８ＭＨｚの共振タグを、コイル部が該ブリスター包装の金属箔、金属箔積層材又は金属蒸着シート若しくはフィルムとほぼ直角に、キャパシタ部がほぼ平行になるように折り曲げて装着された包装体。
【発明の詳細な説明】
【技術分野】
【０００１】
本発明は盗難防止等に用いる共振タグに関する。さらに詳しくは、アルミニウム箔等を使用した所謂ブリスター包装やアルミニウム箔積層材又は金属蒸着シート又はフィルムを使用した比較的平べったい内包装袋の包装体に装着して用いるための共振タグに関する。
【背景技術】
【０００２】
従来より、小売店や図書館等においては盗難防止用のためにラジオ波に共振するタグと発信及び受信アンテナを組み合わせた監視システムが用いられている（特許文献１）。共振タグは、絶縁フィルムの片面に導電性金属箔でコイルとプレートが形成され、他面にプレートが形成されたもので、全体としてＬＣ回路を構成し、特定の周波数のラジオ波に共振する。このタグが添付された物品がチェックを受けずに監視領域を通過すると、発信アンテナから発信されるラジオ波に共振し、受信アンテナがこれを検知して、警報を発する。共振周波数としては、種々のノイズ周波数から区別しやすい等の理由で、５〜１５ＭＨｚが採用されるのが通常である。
【０００３】
ところで、錠剤等の包装として、しばしば所謂ブリスター包装が用いられる。ブリスター包装は被包装物である錠剤等を収納した凹部を有するプラスチック等のシートに金属箔若しくは金属箔の積層材がラミネートされたもので、バリア性が優れており、かつ金属箔を破ることにより個々に被包装物を取り出しやすいという利点を有する（以下、個々のブリスター包装体をブリスターカードということがある）。しかしながら、ブリスターカードは、アルミニウム箔のような金属箔を用いているために電磁波がシールドされるので、共振タグを容易には使用できなかった。
【特許文献１】特開２００１−１６７３６６号公報
【発明の開示】
【発明が解決しようとする課題】
【０００４】
本発明の目的は、ブリスターカード等の金属箔や金属蒸着フィルム等を使用した包装体に使用するものであって、ラジオ波に共振する共振タグを提供することである。
【課題を解決するための手段】
【０００５】
本発明者は、鋭意検討の結果、共振タグのコイル部がブリスターカード等の金属箔や金属蒸着フィルムに直角に配置されると、共振周波数のシフトが若干あるものの、コイル部の磁束の通過を実質上妨げないことを見出し、本発明に到達した。
即ち、本発明は、コイル部とキャパシタ部よりなる共振周波数が７．２〜８．８ＭＨｚの共振タグであって、好ましくは、７．４〜８．４ＭＨｚの共振タグであり、金属箔、金属箔積層材又は金属蒸着シート若しくはフィルムを使用した内包装体を包装してなる外包装体に、少なくともコイル部が、該内包装体の該金属箔、金属箔積層材又は金属蒸着シート若しくはフィルムとほぼ直角になるように装着して使用するための共振タグである。
【発明の効果】
【０００６】
本発明の共振タグは、コイル部がブリスターカード等の金属箔や金属蒸着フィルムに直角に配置されるので、コイルを通過しようとする磁束が遮蔽されることが少なく、共振が妨げられることがない。また、共振タグはコイル部とキャパシタ部が独立して構成されている場合は、コイル部のみをブリスターカードに直角に配置すればよく、包装体をより薄くすることが可能である。
【発明を実施するための最良の形態】
【０００７】
図１、２は本発明の共振タグを装着した包装体の断面図、図３，４は比較のための包装体の断面図、図５は本発明に好適に使用できる共振タグの図である。図５（ａ）（ｂ）はタグのそれぞれの側の面である。
【０００８】
共振タグ１は、図５に示すように、コイル部２とキャパシタ部３よりなる。コイル部は絶縁フィルムの片面又は両面に設けられ、キャパシタ部は両面に対向して設けられた１対の電極よりなる。コイル部とキャパシタ部はそれぞれ分離独立して形成され配線で結合される場合と、絶縁フィルムの両面に形成されたコイル部の一部又は全部がキャパシタ部の全部又は一部を兼ねている場合がある。本発明においては、図５のようにコイル部２とキャパシタ部３が独立していることが好ましい。キャパシタ部はブリスターカードと平行していても差し支えないので、コイル部とキャパシタ部が独立していると、折り曲げてコイル部をブリスターカードと垂直に、キャパシタ部を平行に外包装体に装着することが可能で、外包装体の厚さを減少させることができる。
【０００９】
ブリスターカード６は、一般的にはアルミニウム箔等の金属箔又は金属箔と薄いプラスチックフィルム若しくは紙との積層体７に被包装物を収納するための凹部を有するプラスチック等の成形シート８がラミネートされてなるが、金属箔が電磁波を遮蔽する。通常、ブリスターカードは複数枚重ねて、外包装体５に包装される。外包装体としては紙やプラスチックの箱がよく用いられる。ブリスターカードは図１、３に示すように２枚が向かい合わせの組になって重ねられる場合と、図２、４に示すように同じ向きに重ねられる場合がある。本発明においては、図１、２に示すように、いずれの場合も共振タグのコイル部が包装状態でブリスターカードの向きに垂直になるように外箱のような外包装体に装着される。キャパシタ部はブリスターカードの向きに垂直でもよいが、通常は図１、２のように折り曲げて平行に装着される。このように装着すると、コイルを通過する磁束が金属箔や金属蒸着フィルムに遮蔽されることが殆どないので、共振が妨げられることが少ない。装着方法は特に制限はなく、例えばブリスターカードと垂直な側面に貼付する。
【００１０】
実際に共振タグを設計する場合は、ラベルの周波数はシールドされない位置に金属があると、近接金属による影響で共振周波数が上方にシフトする。そのために本発明の共振タグは、実際には一般的に盗難防止用として普及されている８．２ＭＨｚを中心とした周波数７．８〜８．６ＭＨｚよりもやや低めに、具体的には７．２〜８．８ＭＨｚ、好ましくは７．４〜８．４ＭＨｚに設定する。
【実施例】
【００１１】
以下に、本発明を実施例で説明する。
実施例１
図１に示すように、錠剤用のブリスターカードを向かい合わせにして包装した外包装体に、図５に示す共振タグをコイル部がブリスターカードに垂直に、キャパシタ部が平行になるように装着し、評価した。評価方法は以下のとおりである。
ヘリカルコイル内側の所定の位置に共振タグを置き、ネットワークアナライザー及び専用測定機にて周波数、Ｑ値、ＧＳＴを測定する。ＧＳＴは受信機側の受ける信号の強さを、マルチメーターを利用して電圧値（ボルト）に換算した値である。また、実際に店舗の出入り口で使用しているタグ検知アンテナにてアンテナがタグを感知する距離と、タグの有する共振特性を破壊させる不作動化装置を用いて、不作動化した距離について測定する。
実施例２
図２に示すように、ブリスターカードを同一の向きにして包装した以外は実施例１と同様にして評価した。結果を表１に示した。
【００１２】
比較例１
図３に示すように、共振タグ全体をブリスターカードに平行に装着した以外は実施例１と同様にして評価した。結果を表１に示した。
比較例２
図４に示すように、共振タグ全体をブリスターカードに平行に装着した以外は実施例２と同様にして評価した。結果を表１に示した。
コイル部２がブリスターカードに対して垂直に位置している実施例１及び実施例２は、
タグが本来有する共振特性をアンテナや不作動化装置で検知できるが、平行に位置している比較例１及び比較例２では、タグの存在を検知することはできなく、共振タグを盗難防止に使用することができなくなる。
【００１３】
【表１】
0004817732.tif 000002
【産業上の利用可能性】
【００１４】
本発明の共振タグを装着した包装体は、被包装体がブリスターカードのような金属箔等を用いたものであっても電磁波に共振するので、盗難防止等の監視システムに使用できる。
【図面の簡単な説明】
【００１５】
【図１】本発明の共振タグを装着した包装体の断面図で、ブリスターカードを対向させて包装したものある。
【図２】本発明の共振タグを装着した包装体の断面図で、ブリスターカードを同一方向として包装したものある。
【図３】比較のための共振タグを装着した包装体の断面図で、ブリスターカードを対向させて包装したものある。
【図４】比較のための共振タグを装着した包装体の断面図で、ブリスターカードを同一方向として包装したものある。
【図５】本発明に使用する共振タグの図であり、（ａ）、（ｂ）はそれぞれの側である。
【符号の説明】
【００１６】
１    共振タグ
２    コイル部
３    キャパシタ部
５    外包装体
６    ブリスターカード
【図１】
0004817732.tif 000003
【図２】
0004817732.tif 000004
【図３】
0004817732.tif 000005
【図４】
0004817732.tif 000006
【図５】
0004817732.tif 000007